(57)【要約】      （修正有）【課題】建築物の防水処理が施された部位へ、ビス、アンカー等の固定手段を貫通させて建築物構成部材を固定する場合に、上記建築物構成部材の上記固定手段が貫通した部位への雨水の浸入を防ぐことができる防水固定用部材を提供する。【解決手段】防水固定用部材１０は、上記防水処理が施された部位へ上記建築物構成部材１２を固定するためのビス１５等の固定手段が挿通される孔部１６を有する。また、上記固定手段が上記孔部へ挿通され、上記建築物構成部材を貫通して上記建築物構成部材を上記防水処理が施された部位１１へ固定した場合に、上記建築物構成部材の上記固定手段が貫通した部位を水密状態で被覆しうる基材と、上記孔部内に上記固定手段が挿通された上記基材を水密状態で被覆する被覆部材１４とを備える。【選択図】図１
0003173711.tif 000002
【実用新案登録請求の範囲】
【請求項１】
建築物の防水処理が施された部位へ建築物構成部材を固定する場合に使用される防水固定用部材であって、上記防水処理が施された部位へ上記建築物構成部材を固定するための固定手段が挿通される孔部を有すると共に、上記固定手段が上記孔部へ挿通され、上記建築物構成部材を貫通して上記建築物構成部材を上記防水処理が施された部位へ固定した場合に、上記建築物構成部材の上記固定手段が貫通した部位を水密状態で被覆しうる基材と、上記孔部内に上記固定手段が挿通された上記基材を水密状態で被覆する被覆部材とを備えた防水固定用部材。
【請求項２】
上記基材は、上記孔部を有する基板部と、上記基板部の周縁全域に設けられた立上り部を備えると共に、裏面部には、上記孔部に挿通された上記固定手段の周囲を水密状態で被覆して上記建築物構成部材との間に配置される防水部材を収納しうる防水部材固定部を有することを特徴とする請求項１記載の防水固定用部材。
【請求項３】
上記被覆部材は、上記立上り部への係合部を備え、上記基材の立上り部に係合した場合には、上記基材の上面部を被覆しうるように構成されていることを特徴とする請求項１記載の防水固定用部材
【請求項４】
上記基材及び上記被覆部材は短円筒状に形成され、上記防水部材固定部は凹部により構成されると共に、上記立上り部には上記被覆部材が係止しうる係止部が設けられていることを特徴とする請求項３記載の防水固定用部材。
【請求項５】
上記基材の上記立上り部の外周面部には、周方向に沿って係止部が設けられると共に、上記被覆部材は被覆板部と、上記被覆板部の周縁全域に設けられた周縁側部とを備えていることを特徴とする請求項４記載の防水固定用部材。
【請求項６】
上記被覆部材が上記基材に固定された場合には、上記周縁側部は上記立上り部の外周面部全域を被覆することを特徴とする請求項５記載の防水固定用部材。
【請求項７】
上記基材に上記被覆部材を固定した場合に、上記基材と上記被覆部材との間に防水部材を収納配置しうる空隙部が形成されることを特徴とする請求項６記載の防水固定用部材。
【考案の詳細な説明】
【技術分野】
【０００１】
本考案は、防水固定用部材に係り、特に、建築物の防水処理が施された部位へ建築物構成部材を固定する場合に使用される防水固定用部材に関する。
【背景技術】
【０００２】
一般に、住宅の屋外に配置される防水処理が施されている部位に建築物構成部材を固定する場合には、防水処理により形成された防水層の上からビス、アンカー等の固定手段を貫通させて固定する必要があり、固定手段の貫通箇所において防水層が破壊されることから、従来より、防水性向上の観点からは建築物構成部材を固定しにくい、という不具合が指摘されていた。
【０００３】
この事情を住宅に設置されるバルコニーと建築物構成部材であるサッシとの関係を例に説明する。
【０００４】
図８に示すように、住宅に設置されるバルコニー４０は、住宅本体４１を構成する躯体４２へ固定されている。
【０００５】
バルコニー本体４３の表面には、ＦＲＰ防水などの防水処理が施されており、バルコニーの構成部材の表面に防水層４４を形成することにより、バルコニー本体４３の対候性を得ると共に、躯体４２内部への雨水の浸入を防いでおり、バルコニー本体４３に形成された躯体４２への固定部４５は、躯体４２の外側面部及び上面部に固定されるように形成されている。
【０００６】
ところで、住宅のバルコニー４０に面する開口部４６に固定されるサッシ４７には下端部に固定フランジ部４８が形成されており、上記固定フランジ部４８は、上記固定部４５が固定された躯体４２の室外側に配置される。
【０００７】
上記固定フランジ部４８にはビス穴４９が開設されており、ビス（図示せず）により固定フランジ部４８を上記躯体４２へ、固定部４５を介して固定することができるよう構成されている。
【０００８】
しかしながら、上記固定部４５には防水処理が施されていることから、サッシ４７の固定フランジ部４８のビス穴４９へビスを打ち込んで躯体４２へ固定しようとした場合には、ビスが固定部４５の防水層４４を貫通することとなり、貫通した部位から躯体４２内部へ雨水が浸入するおそれがある。
【０００９】
そのため、従来は、住宅のバルコニーに面する開口部４６にサッシ４７を取り付ける場合、防水処理が施された箇所には、上記ビス穴４９へビスを打ち込まないことが慣例となっている。
【００１０】
その結果、サッシ４７の固定フランジ部４８のビス穴４９へビスが打ち込まれずにサッシ４７が取り付けられることとなり、サッシ４７の経年時における取付強度が低下しやすい、という問題があった。
【考案の開示】
【考案が解決しようとする課題】
【００１１】
そこで、本考案は、建築物の防水処理が施された部位へ、ビス、アンカー等の固定手段を貫通させて建築物構成部材を固定する場合に、上記建築物構成部材の上記固定手段が貫通した部位への雨水の浸入を防ぐことができる防水固定用部材を提供することにある。
【課題を解決するための手段】
【００１２】
上記課題を解決するために、請求項１に記載の考案にかかる防水固定用部材は、建築物の防水処理が施された部位へ建築物構成部材を固定する場合に使用される防水固定用部材であって、上記防水処理が施された部位へ上記建築物構成部材を固定するための固定手段が挿通される孔部を有すると共に、上記固定手段が上記孔部へ挿通され、上記建築物構成部材を貫通して上記建築物構成部材を上記防水処理が施された部位へ固定した場合に、上記建築物構成部材の上記固定手段が貫通した部位を水密状態で被覆しうる基材と、上記孔部内に上記固定手段が挿通された上記基材を水密状態で被覆する被覆部材とを備える。
【００１３】
したがって、上記基材が上記固定手段が挿通される上記孔部を有すると共に、上記建築物構成部材の上記固定手段が貫通した部位を水密状態で被覆しうることから、上記建築物構成部材上に上記基材を配置し、上記固定手段を上記孔部へ挿通し、上記建築物構成部材を貫通させて上記防水処理が施された部位へ上記建築物構成部材を固定した場合に、上記建築物構成部材の上記固定手段が貫通した部位を水密状態で被覆することができる。
【００１４】
また、上記孔部内に上記固定手段が挿通された上記基材を水密状態で被覆する被覆部材を備えることから、上記被覆部材を用いることにより、上記孔部内に上記固定手段が挿通された上記基材を水密状態で被覆することができる。
【００１５】
請求項２に記載の考案にかかる防水固定用部材は、上記基材が、上記孔部を有する基板部と、上記基板部の周縁全域に設けられた立上り部を備えると共に、裏面部には、上記孔部に挿通された上記固定手段の周囲を水密状態で被覆して上記建築物構成部材との間に配置される防水部材を収納しうる防水部材固定部を有することを特徴とする。
【００１６】
したがって、上記防水部材固定部に、上記孔部に挿通された上記固定手段の周囲を水密状態で被覆して上記建築物構成部材との間に配置される上記防水部材を収納することができる。
【００１７】
請求項３に記載の考案にかかる防水固定用部材は、上記被覆部材が、上記立上り部への係合部を備え、上記基材の立上り部に係合した場合には、上記基材の上面部を被覆しうるように構成されていることを特徴とする。
【００１８】
したがって、上記被覆部材は、上記立上り部への係合部を備えることから、上記被覆部材を上記立上り部に係合させることができる。
【００１９】
請求項４に記載の考案にかかる防水固定用部材は、上記基材及び上記被覆部材は短円筒状に形成され、上記防水部材固定部は凹部により構成されると共に、上記立上り部には上記被覆部材が係止しうる係止部が設けられていることを特徴とする。
【００２０】
したがって、上記防水部材固定部が凹部により構成されることにより、上記凹部に上記防水部材を外部に露出させずに収納することができる。
【００２１】
また、上記立上り部には被覆部材が係止しうる係止部が設けられていることにより、上記基材を上記被覆部材に係止することができる。
【００２２】
請求項５に記載の考案にかかる防水固定用部材は、上記基材の上記立上り部の外周面部には、周方向に沿って係止部が設けられると共に、上記被覆部材は被覆板部と、上記被覆板部の周縁全域に設けられた周縁側部とを備えていることを特徴とする。
【００２３】
したがって、上記基材の上記外周面部に、周方向に沿って上記係止部が設けられていると共に、上記被覆板部の周縁全域に上記周縁側部が設けられていることにより、上記周縁側部が上記外周面部を被覆した状態で上記基材に上記被覆部材を係止することができ、上記被覆部材が上記基材の上記上面部、および上記外周面部を被覆することから、上記被覆部材が上記基材を被覆する面積が増大する。
【００２４】
請求項６に記載の考案にかかる防水固定用部材は、上記被覆部材が上記基材に固定された場合には、上記周縁側部は上記立上り部の外周面部全域を被覆することを特徴とする。
【００２５】
したがって、上記周縁側部が上記外周面部全域を被覆した状態で上記基材に上記被覆部材を固定することにより、上記被覆部材が上記基材の上記上面部、および上記外周面部全域を被覆することから、上記被覆部材が上記基材を被覆する面積が増大する。
【００２６】
請求項７に記載の考案にかかる防水固定用部材は、上記基材に上記被覆部材を固定した場合に、上記基材と上記被覆部材との間に防水部材を収納配置しうる空隙部が形成されることを特徴とする。
【００２７】
したがって、上記空隙部に上記防水部材を収納配置することができる。
【００２８】
また、上記被覆部材を上記立上り部に係合した場合には、上記基材の上面部を被覆することにより、上記基材の上面部の被覆部を上記建築物構成部材から、離間して配置させることができる。
【考案の効果】
【００２９】
請求項１に記載の考案に係る防水固定用部材は、上記建築物構成部材上に上記基材を配置し、上記固定手段を上記孔部へ挿通し、上記建築物構成部材を貫通させて上記防水処理が施された部位へ上記建築物構成部材を固定した場合に、上記建築物構成部材の上記固定手段が貫通した部位を水密状態で被覆することができ、その結果、上記建築物構成部材の上記固定手段が貫通した部位への雨水の浸入を防ぐことができる。
【００３０】
また、上記孔部内に上記固定手段が挿通された上記基材を水密状態で被覆する被覆部材を備えることから、上記被覆部材を用いることにより、上記孔部内に上記固定手段が挿通された上記基材を水密状態で被覆することができ、その結果、上記固定手段が雨水に触れる虞がなく、上記建築物構成部材の上記固定手段が貫通した部位への雨水の浸入を防ぐことができる。
その結果、例えば、住宅のバルコニーに面する開口部の防水処理が施された固定部にサッシを取り付ける場合に、従来ビスが打ち込まれていなかったビス穴に、ビスを打ち込んだ場合であっても、固定部の防水層をビスが貫通した部位から躯体内部へ雨水が浸入するおそれがなく、上記ビス穴に上記ビスを打ち込んだ状態で、サッシを固定することができる。
【００３１】
請求項２に記載の考案に係る防水固定用部材は、上記防水部材固定部に、上記孔部に挿通された上記固定手段の周囲を水密状態で被覆して上記建築物構成部材との間に配置される上記防水部材を収納することができ、その結果、上記防水固定用部材の経年変化等によって、上記固定手段の周囲まで雨水が浸入した場合であっても、上記防水部材が上記固定手段の周囲に雨水が浸入することをより確実に防止し、長期間に亘って上記建築物構成部材の上記固定手段が貫通した部位への雨水の浸入を防ぐことができる。
【００３２】
請求項３に記載の考案に係る防水固定用部材は、上記被覆部材を上記基材の上記立上り部へ係合させることができ、その結果、施工時に、上記防水固定用部材を容易に構成することができる。
【００３３】
請求項４に記載の考案に係る防水固定用部材においては、上記凹部に上記防水部材を外部に露出させずに収納することができ、その結果、上記防水部材の劣化を防止でき、上記防水部材が長期間に亘って防水性を維持することが可能となることから、上記防水固定用部材の経年変化等によって、上記固定手段の周囲にまで雨水が浸入した場合であっても、上記防水部材が上記固定手段の周囲に雨水が浸入することを防止し、上記建築物構成部材の上記固定手段が貫通した部位への雨水の浸入を確実に防ぐことができる。
【００３４】
また、請求項４に記載の考案に係る防水固定用部材においては、上記基材を上記被覆部材に係止することができ、その結果、施工時に上記防水固定用部材を容易に構成することができる。
【００３５】
請求項５に記載の考案に係る防水固定用部材は、上記周縁側部が上記外周面部を被覆した状態で上記基材に上記被覆部材を係止することができ、上記被覆部材が上記基材の上記上面部、および上記外周面部を被覆することから、上記被覆部材が上記基材を被覆する面積が増大し、その結果、上記基材と上記被覆部材との間の水密性を高めることができる。
【００３６】
請求項６に記載の考案に係る防水固定用部材は、上記周縁側部が上記外周面部全域を被覆した状態で上記基材に上記被覆部材を固定することにより、上記被覆部材が上記基材の上記上面部、および上記外周面部全域を被覆することから、上記被覆部材が上記基材を被覆する面積が増大し、その結果、上記基材と上記被覆部材との間の水密性をより高めることができる。
【００３７】
請求項７に記載の考案に係る防水固定用部材は、上記空隙部に上記防水部材を収納配置することができ、その結果、上記防水固定用部材の劣化等によって、上記基材と上記被覆部材との間の水密状態が失われ、上記基材と上記被覆部材との間から上記防水固定用部材の内部へ雨水が浸入した場合であっても、上記防水部材により、上記建築物構成部材の上記固定手段が貫通した部位への雨水の浸入を防ぐことができる。
【００３８】
また、上記被覆部材を上記立上り部に係合した場合には、上記基材の上面部を被覆することにより、上記基材の上面部の被覆部を上記建築物構成部材から、離間して配置させることができ、その結果、上記建築物構成部材の表面部に雨水が溜まっている場合であっても、上記被覆部が雨水に触れ難くなることから、上記被覆部の水密性が劣化等により失われることを防止することができる。
【図面の簡単な説明】
【００３９】
【図１】本考案に係る防水固定用部材の一実施の形態にかかる防水固定用部材を用いて建築物構成部材を防水処理が施された部位へ固定した場合を示す断面図である。
【図２】本考案に係る防水固定用部材の一実施の形態にかかる防水固定用部材の基材を示す斜視図である。
【図３】本考案に係る防水固定用部材の一実施の形態にかかる防水固定用部材の基材を示す側面図である。
【図４】本考案に係る防水固定用部材の一実施の形態にかかる防水固定用部材の基材を示す5−5線断面図である。
【図５】本考案に係る防水固定用部材の一実施の形態にかかる防水固定用部材の被覆部材を示す斜視図である。
【図６】本考案に係る防水固定用部材の一実施の形態にかかる防水固定用部材の被覆部材を示す底面図である。
【図７】本考案に係る防水固定用部材の一実施の形態にかかる防水固定用部材の被覆部材を示す7−7線断面図である。
【図８】住宅のバルコニーに面する開口部にサッシを取り付けた場合であって、防水処理が施されたバルコニーとサッシとの関係を示す断面図である。
【考案を実施するための最良の形態】
【００４０】
以下、添付図面に示す実施の形態に基づき、本考案を詳細に説明する。
【００４１】
図１に示すように、本実施の形態に係る防水固定用部材１０は、木造住宅の木製躯体３１の防水処理が施された部位１１へ建築物構成部材１２を固定する場合に使用され、基材１３、および被覆部材１４を備えている。
【００４２】
上記基材１３は、上記防水処理が施された部位１１へ上記建築物構成部材１２を固定するための固定手段としてのビス１５が挿通される孔部１６を有すると共に、上記ビス１５が上記孔部１６へ挿通され、上記建築物構成部材１２を貫通して上記建築物構成部材１２を上記防水処理が施された部位１１へ固定した場合に、上記建築物構成部材の上記固定手段が貫通した部位１７を水密状態で被覆する。
【００４３】
図２に示すように、上記基材１３は、短円筒状に形成されており、上記孔部１６を有する基板部１８と、上記基板部１８の周縁全域に設けられた立上り部１９を備える。
【００４４】
また、図４に示すように、上記基材１３の裏面部には、上記孔部１６に挿通された上記ビス１５の周囲を水密状態で被覆して上記建築物構成部材１２との間に配置される防水部材２０を収納しうる防水部材固定部２１を有する。
【００４５】
上記防水部材固定部２１は凹部２２により構成されており、上記立上り部１９の外周面部２３には、周方向に沿って係止部２４が設けられている。
【００４６】
図５に示すように、上記被覆部材１４は、短円筒状に形成されており、被覆板部２５と、上記被覆板部２５の周縁全域に設けられた周縁側部２６とを備えている。
【００４７】
また、図６に示すように、上記周縁側部２６の内側には、係合部２７が設けられている。
【００４８】
図１に示すように、上記被覆板部２５は、上記係合部２７を上記係止部２４に螺合させることにより、上記基材１３に固定することができ、上記被覆部材１４が上記基材１３に固定された場合には、上記周縁側部２６は上記立上り部１９の外周面部２３全域を被覆すると共に、上記孔部１６内に上記ビス１５が挿通された上記基材１３を水密状態で被覆する。
【００４９】
また、上記基材１３に上記被覆部材１４を固定した場合には、上記基材１３と上記被覆部材１４との間に防水部材２８を収納配置しうる空隙部２９が形成される。
【００５０】
上記基材１３、および上記被覆部材１４は共にポリプロピレン樹脂により形成されている。
【００５１】
また、上記防水部材２０はブチルゴムであり、上記防水部材２８はベントナイトである。
【００５２】
以下、本実施の形態に係る防水固定用部材１０の作用について説明する。
【００５３】
図１に示すように、上記防水固定用部材１０を用いて、上記防水処理が施された部位１１へ上記建築物構成部材１２を固定する場合には、上記防水部材固定部２１に上記防水部材２０を配置した上記基材１３を上記建築物構成部材１２上に配置し、上記ビス１５を上記孔部１６へ挿通し、上記建築物構成部材１２を貫通させて上記防水処理が施された部位１１へ上記建築物構成部材１２を固定する。
【００５４】
次に、上記空隙部２９に上記防水部材２８を配置し、上記基材１３の上記係止部２４に、上記被覆部材２５の上記係合部２７を螺合させて、上記基材１３を被覆する。
【００５５】
この場合、上記ビス１５は上記防水部材２０を貫通した状態で上記建築物構成部材１２を上記防水処理が施された部位１１へ固定し、上記防水部材２０は上記孔部１６に挿通された上記ビス１５の周囲を水密状態で被覆していることから、上記孔部１６に挿通された上記ビス１５の周囲から、上記ビス１５が貫通した部位１７への水の浸入を防止している。
【００５６】
さらに、上記被覆部材１４が上記孔部１６内に上記ビス１５が挿通された上記基材１３を水密状態で被覆していることから、上記空隙部２９へ雨水が浸入する虞はなく、さらに、上記空隙部２９に上記防水部材２８が収納配置されていることにより、より確実に上記ビス１５が貫通した部位１７への水の浸入を防止することができる。
【００５７】
上記防水部材固定部２１が上記凹部２２により構成されることにより、上記凹部２２に上記防水部材２０を外部に露出させずに収納することができる。
【００５８】
上記被覆部材１４が上記立上り部１９への上記係合部２７を備え、上記基材１３の上記外周面部２３に、周方向に沿って上記係止部２４が設けられていると共に、上記被覆板部２５の周縁全域に上記周縁側部２６が設けられていることにより、上記周縁側部２６が上記外周面部２３を被覆した状態で上記基材１３に上記被覆部材１４を係止することができ、上記被覆部材１４が上記基材１３の上面部３０、および上記外周面部２３を被覆することから、上記被覆部材１４が上記基材１３を被覆する面積が増大する。
【００５９】
本実施の形態においては、建築物構成部材１２を木造住宅の上記木製躯体３１へ固定することから、上記固定手段としてビス１５を用いたが、コンクリート製の躯体へ固定する場合には、上記固定手段としてアンカーを使用することができ、上記固定手段は任意に選択可能である。
【００６０】
本実施の形態においては、上記基材１３、および上記被覆部材１４の素材としてポリプロピレン樹脂を用いたが、上記基材１３、および上記被覆部材１４はポリプロピレン樹脂に限定されず、任意に選択可能である。
【００６１】
また、本実施の形態においては、上記防水部材２０としてブチルゴムを用いたが、上記防水部材２０はブチルゴムに限定されず、任意に選択可能である。
【００６２】
また、本実施の形態においては、上記防水部材２８としてベントナイトを用いたが、上記防水部材２８はベントナイトに限定されず、任意に選択可能である。
【産業上の利用可能性】
【００６３】
本考案は、建築物の防水処理が施された部位へ建築物構成部材を固定する場合に使用される防水固定用部材に適用可能である。
【符号の説明】
【００６４】
１０    防水固定用部材
１１    防水処理が施された部位
１２    建築物構成部位
１３    基材
１４    被覆部材
１５    ビス
１６    孔部
１７    ビスが貫通した部位
１８    基板部
１９    立上り部
２０    防水部材
２１    防水部材固定部
２２    凹部
２３    外周面部
２４    係止部
２５    被覆板部
２６    周縁側部
２７    係合部
２８    防水部材
２９    空隙部
３０    上面部
３１    木製躯体
４０    バルコニー
４１    住宅本体
４２    躯体
４３    バルコニー本体
４４    防水層
４５    固定部
４６    開口部
４７    サッシ
４８    固定フランジ部
４９    ビス孔
【図１】
0003173711.tif 000003
【図２】
0003173711.tif 000004
【図３】
0003173711.tif 000005
【図４】
0003173711.tif 000006
【図５】
0003173711.tif 000007
【図６】
0003173711.tif 000008
【図７】
0003173711.tif 000009
【図８】
0003173711.tif 000010